(57)【要約】【課題】半田の使用量および半田付けの時間を抑制して確実に半田付けが行え、かつボビンの共通化が行える電気機器、トランス、安定器および照明器具を提供する。【解決手段】電気機器１は、コイルボビン９ａ，９ｂの凸部１１ａ，１１ｂ側に配置される平板部４ａ，４ａおよびこの平板部４ａ，４ａの基端側４ａａ，４ａａから中心線Ａ１を跨いで中心線Ａ１に直交する方向に延設された延設部４ｂ，４ｂを有する略Ｌ形の板状からなり、一対のコイルボビン９ａ，９ｂの一端部９ａａ，９ｂａ同士を付け合せたときにそれぞれの平板部４ａ，４ａの先端４ａｂ，４ａｂと相手方のコイルボビン９ａ，９ｂの延設部４ｂ，４ｂとが近接または接触するように凸部１１ａ，１１ｂ側にそれぞれ設けられ、リード線１０ａ，１０ｂの一方１０ａがそれぞれ接続された導電性の一対の接続端子４，４を具備する。【選択図】図１
2008060192.tif 000002
【特許請求の範囲】
【請求項１】
それぞれリード線を導出しており、一方向の中心軸が同心状となるように一端部同士を付け合せたときに一端部の少なくとも一部の周縁部同士が互いに嵌合する凸部が周縁部の中心線を境にして中心線と直交する方向に対称形状をなすように周縁部からそれぞれ突出されている一対の被接続体と；
それぞれ周縁部の中心線に沿って前記凸部側に配置される平板部およびこの平板部の基端側から前記中心線を跨いで前記中心線に直交する方向に延設された延設部を有する略Ｌ形の板状からなり、一対の被接続体の一端部同士を付け合せたときにそれぞれの平板部の先端と相手方の被接続体の延設部とが近接または接触するように前記凸部側にそれぞれ設けられ、リード線の一方がそれぞれ接続された導電性の一対の接続端子と；
一対の接続端子に付着された半田と；
一対の被接続体の他端部側に一体的にそれぞれ設けられ、リード線の他方がそれぞれ接続された端子台と；
を具備していることを特徴とする電気機器。
【請求項２】
鉄心と、それぞれリード線を導出している一対のコイルと、一方向の中心軸が同心状となるように一端部同士を付け合せたときに一端部の少なくとも一部の周縁部同士が互いに嵌合する凸部が周縁部の中心線を境にして中心線と直交する方向に対称形状をなすように周縁部からそれぞれ突出され、内側に前記中心軸に沿う前記鉄心が配設され、外側に前記コイルがそれぞれ巻回された一対のコイルボビンとを有してなる被接続体と；
それぞれコイルボビンの周縁部の中心線に沿って前記凸部側に配置される平板部およびこの平板部の基端側から前記中心線を跨いで前記中心線に直交する方向に延設された延設部を有する略Ｌ形の板状からなり、一対のコイルボビンの一端部同士を付け合せたときにそれぞれの平板部の先端と相手方のコイルボビンの延設部とが近接または接触するように前記凸部側にそれぞれ設けられ、リード線の一方がそれぞれ接続された導電性の一対の接続端子と；
一対の接続端子に付着された半田と；
一対のコイルボビンの他端部側に一体的にそれぞれ設けられ、リード線の他方がそれぞれ接続された端子台と；
を具備していることを特徴とするトランス。
【請求項３】
請求項２記載のトランスと；
このトランスを収納しているケース本体と；
を具備していることを特徴とする安定器。
【請求項４】
請求項３記載の安定器と；
この安定器により点灯される放電ランプと；
この放電ランプを配設している器具本体と；
を具備していることを特徴とする照明器具。
【発明の詳細な説明】
【技術分野】
【０００１】
本発明は、放電ランプを点灯するためのトランス、安定器等の電気機器およびこれら電気機器を用いた照明器具に関する。
【背景技術】
【０００２】
この種の電気機器、例えば放電灯用の安定器は、鉄心とコイルによりトランスが形成され、このトランスがケース本体に収納されて構成されている。そして、安定器は、接続端子を介して、コイルから導出されたリード線同士を接続し、あるいはリード線を入出力用の端子金具に接続している。
【０００３】
例えば、ケースに収納され、その長手方向に並べられた２個のトランスをトランス端子金具（接続端子）で接続している放電灯用安定器が提供されている（例えば特許文献１参照。）。この従来技術の放電灯用安定器において、トランス端子金具は、切欠溝、切起し部および一対の突出端部部分が形成されている。そして、２個のトランス端子金具が用いられ、各トランス端子金具にリード線の一端側が接続されている。
【０００４】
各トランス端子金具は、それぞれの切起し部が他方のトランス端子金具の切欠溝にその奥端まで嵌入され、切起し部同士が面接触して突き当てられている。また、各突出端部には、両トランス端子金具の突出端部部分が重ね合わされている。そして、半田が突き当てられた切起し部を覆い隠すとともに、上側の突出端部部分と、この下側に重なるトランス端子金具の突出端部とに亘って設けられている。こうして、トランス端子金具間に亘る半田付けにより、２個のトランスが電気的および機械的に接続されている。
【特許文献１】特許第３６４４０７１号公報（第６〜第７頁、図２〜図６）
【発明の開示】
【発明が解決しようとする課題】
【０００５】
特許文献１の放電灯用安定器は、半田が切起し部を覆い隠すように、かつ上側のトランス端子金具の突出端部部分と、下側のトランス端子金具の突出端部とに亘って設けられるので、使用する半田の量が多くなるという欠点を有する。特に、環境問題等から使用されている鉛フリー半田は、溶融性が劣るので、使用量の増加に伴って半田付けの時間等の管理が難しくなる。
【０００６】
また、安定器は、リード線が巻き付けられるコイルボビンにトランス端子金具を固定することになるので、コイルボビンを共通化することが出来なくなるおそれがある。
【０００７】
本発明は、半田の使用量および半田付けの時間を抑制して確実に半田付けが行え、かつボビンの共通化が行える電気機器、トランス、安定器および照明器具を提供することを目的とする。
【課題を解決するための手段】
【０００８】
請求項１に記載の電気機器の発明は、それぞれリード線を導出しており、一方向の中心軸が同心状となるように一端部同士を付け合せたときに一端部の少なくとも一部の周縁部同士が互いに嵌合する凸部が周縁部の中心線を境にして中心線と直交する方向に対称形状をなすように周縁部からそれぞれ突出されている一対の被接続体と；それぞれ周縁部の中心線に沿って前記凸部側に配置される平板部およびこの平板部の基端側から前記中心線を跨いで前記中心線に直交する方向に延設された延設部を有する略Ｌ形の板状からなり、一対の被接続体の一端部同士を付け合せたときにそれぞれの平板部の先端と相手方の被接続体の延設部とが近接または接触するように前記凸部側にそれぞれ設けられ、リード線の一方がそれぞれ接続された導電性の一対の接続端子と；一対の接続端子に付着された半田と；一対の被接続体の他端部側に一体的にそれぞれ設けられ、リード線の他方がそれぞれ接続された端子台と；を具備していることを特徴とする。
【０００９】
本発明および以下の各発明において、特に言及しない限り、各構成は以下による。
【００１０】
電気機器は、例えば、トランスやリレー等の電気機器、これらトランスで構成される放電灯用安定器、さらには電子回路で構成された電子式安定器、ＬＥＤ照明器具等に用いられる電源トランス等の電気機器が許容される。
【００１１】
被接続体は、例えば、トランス、リレー、安定器、電源トランス等の電気機器を構成するコイル、電子安定器等を構成する各種の回路部品等が許容される。
【００１２】
「嵌合」とは、凸部同士が嵌め込まれて完全に固定されるということではなく、突き合せて接触している程度でよいものである。
【００１３】
被接続体から導出しているリード線は、例えば、コイルから導出される銅線であっても、このコイル用銅線に別個に接続された銅線等で構成されたリード線であってもよく、さらには、各種電子回路を構成する回路部品等のリードフレームであってもよい。
【００１４】
一対の接続端子は、銅および黄銅等の銅を含む合金等、導電性を有しかつ半田付けが可能な材料で構成されていればよい。また、一対の接続端子は、被接続体の凸部に固定されてもよく、固定されなくてもよい。
【００１５】
半田は、環境問題から使用される鉛フリー半田の他、他の環境問題をクリヤーした半田等、各種の半田が許容される。
【００１６】
本発明によれば、一対の被接続体は、一端部同士を付け合わせたときに互いに嵌合する凸部が周縁部の中心線を境にして中心線と直交する方向に対称形状をなすので、同一の部品となって互いに共通化される。また、一対の接続端子は、平板部および延設部を有する略Ｌ形の板状からなり、一対の被接続体の一端部同士を付け合せたときにそれぞれの平板部の先端と相手方の被接続体の延設部とが近接または接触するように被接続体の凸部側にそれぞれ設けられるので、凸部側に互いに対称に配置されることになり、同一の部品となって互いに共通化されるとともに、Ｌ形の板状によって面一な半田塗布面が形成されることにより、それぞれの平板部および延設部に比較的少量の半田が塗布されても半田付けが良好に行える。
【００１７】
請求項２に記載のトランスの発明は、鉄心と、それぞれリード線を導出している一対のコイルと、一方向の中心軸が同心状となるように一端部同士を付け合せたときに一端部の少なくとも一部の周縁部同士が互いに嵌合する凸部が周縁部の中心線を境にして中心線と直交する方向に対称形状をなすように周縁部からそれぞれ突出され、内側に前記中心軸に沿う前記鉄心が配設され、外側に前記コイルがそれぞれ巻回された一対のコイルボビンとを有してなる被接続体と；それぞれコイルボビンの周縁部の中心線に沿って前記凸部側に配置される平板部およびこの平板部の基端側から前記中心線を跨いで前記中心線に直交する方向に延設された延設部を有する略Ｌ形の板状からなり、一対のコイルボビンの一端部同士を付け合せたときにそれぞれの平板部の先端と相手方の被接続体の延設部とが近接または接触するように前記凸部側にそれぞれ設けられ、リード線の一方がそれぞれ接続された導電性の一対の接続端子と；一対の接続端子に付着された半田と；一対のコイルボビンの他端部側に一体的にそれぞれ設けられ、リード線の他方がそれぞれ接続された端子台と；を具備していることを特徴とする。
【００１８】
トランスは、放電灯用安定器を構成するトランスが好適であるが、これに限定されず、例えば、ＬＥＤ照明器具等に用いられる電源トランスなど各種電気機器に用いる全てのトランスが適用される。
【００１９】
本発明によれば、被接続体の一対のコイルボビンは、一端部同士を付け合わせたときに互いに嵌合する凸部が周縁部の中心線を境にして中心線と直交する方向に対称形状をなすので、同一の部品となって互いに共通化される。また、一対の接続端子は、平板部および延設部を有する略Ｌ形の板状からなり、一対のコイルボビンの一端部同士を付け合せたときにそれぞれの平板部の先端と相手方のコイルボビンの延設部とが近接または接触するように被接続体の凸部側にそれぞれ設けられるので、凸部側に互いに対称に配置されることになり、同一の部品となって互いに共通化されるとともに、Ｌ形の板状によって面一な半田塗布面が形成されることにより、それぞれの平板部および延設部に比較的少量の半田が塗布されても半田付けが良好に行える。
【００２０】
請求項３に記載の安定器の発明は、請求項２記載のトランスと；トランスを収納しているケース本体と；を具備していることを特徴とする。
【００２１】
ケース本体は、トランスの一部が露出するように収納してもよく、トランス全体を覆うように収納してもよい。
【００２２】
本発明によれば、一対のコイルボビンおよび一対の接続端子の共通化がそれぞれ行え、かつ比較的使用量が抑制可能な半田により、一対の接続端子が確実に半田付けされるトランスを有する安定器が提供される。
【００２３】
請求項４に記載の照明器具の発明は、請求項３記載の安定器と；この安定器により点灯される放電ランプと；この放電ランプを配設している器具本体と；を具備していることを特徴とする。
【００２４】
照明器具は、一般家庭用の各種の照明器具、さらには施設・業務用の各種の照明器具、屋内屋外用の照明器具、各種の照明表示装置、プロジェクタ等、全ての照明器具が許容される。
【００２５】
放電ランプは、蛍光ランプ、水銀ランプ、メタルハライドランプ、高圧ナトリウムランプ等、全ての放電ランプが許容される。
【００２６】
本発明によれば、請求項３記載の安定器を具備する照明器具が提供される。
【発明の効果】
【００２７】
請求項１の発明によれば、一対の被接続体および一対の接続端子は、それぞれ同一の部品となって共通化されるので、電気機器を低コスト化することができる。また、一対の接続端子は、略Ｌ形の板状からなり、それぞれの平板部の先端と相手方の被接続体の延設部とが近接または接触するように一対の被接続体の凸部側にそれぞれ設けられるので、略面一な半田の塗布面が形成されることにより、比較的少量の半田を塗布することができ、短時間で確実に半田の付着を行うことができる。
【００２８】
請求項２の発明によれば、被接続体の一対のコイルボビンおよび一対の接続端子は、それぞれ同一の部品となって共通化され、かつ、一対の接続端子は、略面一な半田の塗布面が形成されて半田により確実に接続されるので、低コスト化が図られて、信頼性の向上するトランスを提供することができる。
【００２９】
請求項３の発明によれば、請求項２に記載のトランスを具備するので、低コスト化することができ、信頼性の向上が可能な安定器を提供することができる。
【００３０】
請求項４の発明によれば、請求項３に記載の安定器を具備するので、低コスト化することができ、信頼性の向上が可能な照明器具を提供することができる。
【発明を実施するための最良の形態】
【００３１】
以下、本発明の一実施の形態について図面を参照して説明する。まず、本発明の第１の実施形態について説明する。
【００３２】
図１ないし図４は、本発明の第１の実施形態を示し、図１は安定器の概略上面図、図２は被接続体の概略上面図、図３は接続端子を示し、（ａ）は概略上面図、（ｂ）は概略側面図、図４は他の接続端子の概略上面図である。
【００３３】
図１に示す安定器１は、電気機器を構成する放電灯点灯用の安定器であり、トランス２、このトランス２を収納しているケース本体２３を有して構成されている。
【００３４】
トランス２は、被接続体３、一対の接続端子４，４、半田５および端子台６ａ，６ｂを有して構成されている。
【００３５】
被接続体３は、鉄心７、一対のコイル８ａ，８ｂおよび一対のコイルボビン９ａ，９ｂを有している。鉄心７は、例えば珪素鋼板からなり、略Ｉ状に形成された平板が積層されて形成されている。コイル８ａ、８ｂは、コイル８ａ，８ｂの末端であるウレタン銅線からなる一対のリード線１０ａ，１０ｂをそれぞれ導出している。
【００３６】
コイルボビン９ａ，９ｂは、熱可塑性の合成樹脂からなり、内側に鉄心７を貫通させる中空を有する略四角筒状体に形成されている。そして、この略四角筒状体の一方向の中心軸Ａ２に沿って前記中空に鉄心７を配設し、外側にコイル８ａ、８ｂがそれぞれ巻回されている。そして、図２に示すように、コイルボビン９ａ，９ｂのそれぞれの一端部側９ａａ，９ｂａにそれぞれ凸部１１ａ，１１ｂが形成され、それぞれの他端部側９ａｂ，９ｂｂにそれぞれ端子台６ａ，６ｂが形成されている。そして、端子台６ａに銅板からなる一対の入力端子１２，１３を配設し、端子台６ｂに銅板からなる出力端子１４を配設している。
【００３７】
そして、コイル８ａから導出している一方のリード線１０ａが入力端子１２に、他方のリード線１０ｂが入力端子１３にそれぞれ溶接等により接続されている。また、コイル８ｂから導出している一方のリード線１０ａが出力端子１４に溶接等により接続されている。なお、コイル８ａは、一方のリード線１０ａを端子台１２から折り返しさせて、コイルボビン９ａの一端部側９ａａからも導出させている。
【００３８】
凸部１１ａ，１１ｂは、コイルボビン９ａ，９ｂのそれぞれの一端部側９ａａ，９ｂａの周縁部の中心線Ａ１を境にして中心線Ａ１と直交する方向に対称形状をなすように当該周縁部からそれぞれ突出形成されている。凸部１１ａ，１１ｂには、前記中心線Ａ１を境にして互いに対称となるように段部１５，１５がそれぞれ形成されている。そして、一対のコイルボビンは９ａ，９ｂは、図１に示すように、それぞれの一方向の中心軸Ａ２が同心状となるように一端部９ａａ，９ｂａ同士が付き合わされている。この一端部９ａａ，９ｂａ同士を付き合わせたときに一端部９ａａ，９ｂａの少なくとも一部の周縁部同士が互いに嵌合するように凸部１１ａ，１１ｂが形成されている。
【００３９】
一対の接続端子４，４は、板状の導電性部材例えば銅板からなり、図３（ａ）に示すように、それぞれ平板部４ａ，４ｂおよび延設部４ｂ，４ｂを有する略Ｌ形の板状に形成されている。平板部４ａ，４ａは、図２に示すように、コイルボビン９ａ，９ｂの周縁部の中心線Ａ１に沿ってコイルボビン９ａ，９ｂのそれぞれの凸部１１ａ，１１ｂ側に配置されている。そして、延設部４ｂ，４ｂは、図３（ａ）に示すように、それぞれ平板部４ａ，４ａの基端側４ａａから中心線Ａ１を跨いで中心線Ａ１に直交する方向に延設され、所定長切り欠きされた切り欠き部１６を有している。この切り欠き部１６は、溶融した半田５を流動しやすくするためのものであり、あるいは平板部４ａまたは延設部４ｂに巻回されたリード線１０ａ，１０ｂの逃げ部とするものである。
【００４０】
また、一対の接続端子４，４は、図３（ｂ）に示すように、それぞれ平板部４ａの先端４ａｂから略直角に折曲された折曲部４ｃを有している。この折曲部４ｃ，４ｃは、コイルボビン９ａ，９ｂの凸部１１ａ，１１ｂのそれぞれの段部１５，１５に挿入される。このとき、平板部４ａおよび延設部４ｂが凸部１１ａ（１１ｂ）の表面に対向して配設される。
【００４１】
そして、一対の接続端子４，４には、コイル８ａから導出しているリード線１０ａおよびコイル８ｂから導出しているリード線１０ａが接続される。すなわち、凸部１１ａ（１１ｂ）の表面上において、図３（ａ）に示すように、コイル８ａからのリード線１０ａがコイルボビン９ａ側の平板部４ａに、コイル８ｂからのリード線１０ａがコイルボビン９ｂ側の平板部４ａにそれぞれ巻かれて絡められることにより固定され接続される。
【００４２】
そして、一対の接続端子４，４は、一対のコイルボビン９ａ，９ｂの一端部９ａａ，９ｂａ同士を付け合せたときにそれぞれの平板部４ａ，４ａの先端４ａｂ，４ａｂと相手方のコイルボビン９ａ，９ｂの延設部４ｂ，４ｂとが接触するようにして、コイルボビン９ａ，９ｂの凸部１１ａ，１１ｂ側にそれぞれ設けられている。ここで、平板部４ａが相手方のコイルボビン９ａ，９ｂの延設部４ｂに近接されるようにしてもよい。
【００４３】
一対の接続端子４，４は、コイル８ａから導出している一方のリード線１０ａおよびコイル８ｂから導出している一方のリード線１０ａを接続して、コイル８ａおよびコイル８ｂ同士を接続するものである。それぞれの平板部４ａが相手方のコイルボビン９ａ，９ｂの延設部４ｂに接触するようにして接続端子４，４を配設しても、接続端子４，４同士の電気的接続は、確実でないものである。したがって、接続端子４，４は、半田５によって電気的に接続される。
【００４４】
例えば、図３（ａ）に示すように、接続端子４，４のそれぞれの平板部４ａ，４ａの先端４ａｂ，４ａｂが相手方のコイルボビン９ａ，９ｂの延設部４ｂ，４ｂに接触するように、かつそれぞれの平板部４ａ，４ａ同士が近接するようにしている状態で、溶融させた鉛フリー半田５を例えば平板部４ａ，４ａに導入する。
【００４５】
溶融している半田５は、平板部４ａ，４ａ間の隙間および延設部４ｂ，４ｂの切り欠き部１６，１６に流れ込み、平板部４ａ，４ａの先端４ａｂ，４ａｂおよび延設部４ｂ，４ｂの接触部分に向かって流動する。そして、半田５の熱が銅板である平板部４ａ，４ａおよび延設部４ｂ，４ｂなどに吸熱されることにより、半田５が固化する。これにより、半田５は、図１に示すように、一対の接続端子４，４に付着され、それぞれの平板部４ａ，４ａおよび相手方のコイルボビン９ａ，９ｂの延設部４ｂ，４ｂと、平板部４ａ，４ａ同士が半田５により電気的に接続される。なお、鉛フリーはんだ５は、鉛を使用しない、錫を主成分として銀および銅などを添加したものである。
【００４６】
そして、ケース本体２３は、鋼板またはアルミニウム等の金属で箱形の容器として構成され、箱内部に上記に構成したトランス２を収納し、ポリエステル樹脂等の電気絶縁性の合成樹脂からなる図示しない充填材で充填されている。さらに、図示しないカバーケースにより覆って収容されて、安定器１が構成されている。なお、安定器１には、さらに力率改善用のコンデンサや電流ヒューズ等が設けられている。
【００４７】
上述したように、被接続体３を構成する一対のコイルボビン９ａ，９ｂは、一方向の中心軸Ａ２が同心状となるように一端部９ａａ，９ｂａ同士を付け合わせたときに、互いに嵌合する凸部１１ａ，１１ｂが周縁部の中心線Ａ１を境にして中心線Ａ１と直交する方向に対称形状をなすように周縁部から突出形成されており、また、他端部側９ａｂ，９ｂｂには、一体的にそれぞれ端子台６ａ，６ｂが設けられているので、同一の部品に形成されて互いに共通化されている。
【００４８】
また、コイル８ａ，８ｂを接続する一対の接続端子４，４は、それぞれコイルボビン９ａ，９ｂの周縁部の中心線Ａ１に沿ってコイルボビン９ａ，９ｂの凸部１１ａ，１１ｂ側に配置される平板部４ａ，４ａおよびこの平板部４ａ，４ａの基端側４ａａ，４ａａから中心線Ａ１を跨いで中心線Ａ１に直交する方向に延設された延設部４ｂ，４ｂを有する略Ｌ形の板状に形成され、一対のコイルボビン９ａ，９ｂの一端部９ａａ，９ｂａ同士を付け合わせたときにそれぞれの平板部４ａ，４ａの先端４ａｂ，４ａｂと相手方の延設部４ｂ，４ｂとが近接または接触するようにコイルボビン９ａ，９ｂの凸部１１ａ，１１ｂ側にそれぞれ設けられているので、同一の部品に形成されて互いに共通化されている。
【００４９】
一対のコイルボビン９ａ，９ｂおよび一対の接続端子４，４がそれぞれ同一の部品となって互いに共通化されることにより、部品点数を少なくすることができるので、トランス２および安定器１の低コスト化が図られる。
【００５０】
また、一対の接続端子４，４は、上記の構成および配設により、半田５が導入（塗布）される導入面が略面一になって、半田５を導入しやすくなる。
【００５１】
すなわち、溶融した半田量が少なくても、所定量の半田量を有していれば、接続端子４，４の平板部４ａ，４ａの先端４ａａ，４ａａおよび延設部４ｂ，４ｂと、平板部４ａ，４ａ同士に溶融した半田５が流動して、平板部４ａ，４ａおよび延設部４ｂ，４ｂと、平板部４ａ，４ａ同士をそれぞれ確実に接続する。したがって、接続端子４，４の接続において、半田５の使用量が抑制される。また、半田５の使用量が少ないことにより、特に溶融性の劣る鉛フリー半田５を使用しても、短時間で接続端子４，４が半田付けされる。この結果、低コスト化が図られて、半田付け不良による断線が抑制される信頼性の向上するトランス２および安定器１を提供することができる。
【００５２】
なお、接続端子４，４に代えて、図４に示す接続端子１７，１７を用いることもできる。接続端子１７，１７は、接続端子４，４と同様に、それぞれ平板部１７ａ，１７ａおよび延設部１７ｂ，１７ｂを有する略Ｌ形の板状に形成され、切り欠き部１６，１６が形成されていない。そして、平板部１７ａ，１７ａの先端１７ａｂ，１７ａｂおよび相手方のコイルボビン９ａ，９ｂの延設部１７ｂ，１７ｂと、平板部１７ａ，１７ａ同士がそれぞれ近接されている。
【００５３】
また、上記実施形態では、電気機器として放電灯点灯用のトランス２を有する安定器１を構成したが、インバータ等の電子回路を構成するバラスト巻線など小型のトランスにおけるリード線１０ａ，１０ｂと接続端子４，４との接続に適用し、電子安定器を構成してもよい。さらに、ＬＥＤ照明器具等を構成する電源トランス等に適用してもよい。
【００５４】
また、上記実施形態において、鉄心７、一対のコイル８ａ，８ｂおよび一対のコイルボビン９ａ，９ｂを有する１個の被接続体３を構成したが、トランス２を構成しない電気機器の場合には、一対のコイル８ａ，８ｂおよび一対のコイルボビン９ａ，９ｂと同様に構成された一対の被接続体に構成されるものである。すなわち、当該一対の被接続体は、それぞれリード線１０ａ，１０ｂを導出しており、一方向の中心軸Ａ２が同心状となるように一端部９ａａ，９ｂａ同士を付け合わせたときに一端部９ａａ，９ｂａの少なくとも一部の周縁部同士が互いに嵌合する凸部１１ａ，１１ｂを有するものである。
【００５５】
次に、本発明の第２の実施形態について説明する。
【００５６】
図５は、本発明の第２の実施形態を示す照明器具の外観図である。なお、図１と同一部分には同一符号を付して説明は省略する。
【００５７】
図５に示す照明器具１８は、天井などの造営物に設置される直付け照明器具であり、器具本体１９が造営物に取り付けられている。器具本体１９は、反射面２０ａを有するカバー２０を配設し、その両端に一対のランプソケット２１，２１が設けられている。
【００５８】
また、器具本体１９は、カバー２０内に図１に示す安定器１を配設している。そして、放電ランプとしての蛍光ランプ２２は、ランプソケット２１，２１に装着されている。
【００５９】
照明器具１８は、半田付け不良による断線が抑制される図１に示す安定器１を配設しているので、蛍光ランプ２２の不点による不具合が抑制され、照明に対する信頼性が向上している。
【図面の簡単な説明】
【００６０】
【図１】本発明の第１の実施形態を示す安定器の概略上面図。
【図２】同じく、被接続体の概略上面図。
【図３】同じく、接続端子を示し、（ａ）は概略上面図、（ｂ）は概略側面図。
【図４】同じく、他の接続端子の概略上面図。
【図５】本発明の第２の実施形態を示す照明器具の外観図。
【符号の説明】
【００６１】
１…電気機器としての安定器
２…トランス
３…被接続体
４，４、１７，１７…接続端子
５…半田
６ａ，６ｂ…端子台
１８…照明器具
１９…器具本体
２２…放電ランプとしての蛍光ランプ
２３…ケース本体
【図１】
2008060192.tif 000003
【図２】
2008060192.tif 000004
【図３】
2008060192.tif 000005
【図４】
2008060192.tif 000006
【図５】
2008060192.tif 000007